(57)【要約】【課題】燻蒸シートを容易に運搬することができ、該燻蒸シートの取り扱い性に優れた燻蒸シート用運搬用具を用いて、簡便な作業で松くい虫の燻蒸駆除を行うことができる施工方法を目的とする。【解決手段】松くい虫燻蒸シートを収納する収納本体１０と、該収納本体１０に設けられた肩掛けベルトとを具備する特定の燻蒸シート用運搬用具１を用いて松くい虫を燻蒸駆除する方法であって、松くい虫燻蒸シートを折り畳んで前記燻蒸シート用運搬用具に収納して運搬する工程と、前記松くい虫燻蒸シートを収納本体から引き出し、伐倒材を覆うのに必要な大きさに切断して該伐倒材を覆う工程と、前記収納本体から引き出した前記松くい虫燻蒸シートの未使用部分を前記シート用運搬用具に再収納する工程と、前記松くい虫燻蒸シート内で前記伐倒材を薬剤により燻蒸処理する工程とを含む施工方法。【選択図】図１
2010022299.tif 000002
【特許請求の範囲】
【請求項１】
帯状の松くい虫燻蒸シートを収納する収納本体と、該収納本体に設けられた肩掛けベルトとを具備し、
前記収納本体は、背面部、及び、該背面部の幅方向の両端からそれぞれ内側に向かって、開口を形成するように背面部に設けられた、収納本体の幅方向への松くい虫燻蒸シートのずれを規制する幅規制部を有しており、前記幅規制部の長さ方向の端部は前記背面部と連結されており、
前記幅規制部を内包するように前記収納本体を長さ方向に半折りにした当該収納本体の前記背面部の一方の外側面を背負い面とし、
該背負い面に、半折りした折り返し部が上側になるように前記肩掛けベルトが設けられている燻蒸シート用運搬用具を用いて松くい虫を燻蒸駆除する方法であって、
松くい虫燻蒸シートを折り畳んで前記燻蒸シート用運搬用具に収納して運搬する工程（１）と、
前記松くい虫燻蒸シートを収納本体から引き出し、伐倒材を覆うのに必要な大きさに切断して該伐倒材を覆う工程（２）と、
前記収納本体から引き出した前記松くい虫燻蒸シートの未使用部分を前記シート用運搬用具に再収納する工程（３）と、
前記松くい虫燻蒸シートで覆われた前記伐倒材を薬剤により燻蒸処理する工程（４）とを含む、松くい虫燻蒸駆除の施工方法。
【請求項２】
前記燻蒸シート用運搬用具の前記背負い面に、該背負い面の形状を維持する背板が設けられている、請求項１に記載の松くい虫燻蒸駆除の施工方法。
【請求項３】
前記燻蒸シート用運搬用具の前記収納本体に、半折りにした該収納本体の間に挟まれ、収納された前記シートの位置を規制する挟板が設けられている、請求項１又は２に記載の松くい虫燻蒸駆除の施工方法。
【請求項４】
前記工程（１）において、前記松くい虫燻蒸シートを、その長手方向に沿ってガゼット折りした後、さらに長手方向に蛇腹状に折り畳み、その折り畳んだ松くい虫燻蒸シートを、前記長手方向が前記収納本体の幅方向に沿うように前記燻蒸シート用運搬用具に収納する、請求項１〜３のいずれかに記載の松くい虫燻蒸駆除の施工方法。
【発明の詳細な説明】
【技術分野】
【０００１】
本発明は、松くい虫燻蒸駆除の施工方法に関する。
【背景技術】
【０００２】
近年、松くい虫による松の集団枯死が全国的に広がっており、大きな被害をもたらしている。この松くい虫による松の枯死は、実際にはマツノザイセンチュウという線虫により引き起こされ、このマツノザイセンチュウがマツノマダラカミキリにより運ばれることで別の松へと次々に伝播していく。
【０００３】
このような松の集団枯死の被害を防ぐ方法としては、枯死した松を伐倒した後、それら伐倒材を松くい虫燻蒸シート（以下、「燻蒸シート」という。）で覆い、その場で薬剤により燻蒸し、それらの松に残っているマツノザイセンチュウやマツノダラカミキリの幼虫を駆除する方法が知られている（例えば特許文献１、２）。この松くい虫の燻蒸駆除に用いられる燻蒸シートとしては、薬剤の拡散を防ぐ高いガスバリア性を有するシートや、燻蒸駆除の後に撤去作業を必要としない生分解性のシート等が示されている（例えば、特許文献３〜５等）。
【０００４】
松くい虫の燻蒸駆除は、通常、大きなサイズ（例えば、幅４ｍ×長さ３０ｍ程度）の燻蒸シートを松の伐倒現場まで運び、該燻蒸シートを燻蒸駆除に必要な大きさごと（４ｍ程度の正方形）に切り取って伐倒材を覆った後、薬剤を注入することにより行なわれる。そのため、運搬の際の燻蒸シートは非常に大きく、従来は短手方向（幅２ｍ）に半折りしたものを紙管に巻き回した状態で肩に担いで運んでいた。
【特許文献１】特開２００１−２５３４７号公報
【特許文献２】特開２００３−２３９４７号公報
【特許文献３】特開２００５−１０３８７２号公報
【特許文献４】特開２００５−１５４４５６号公報
【特許文献５】特開２００６−２４６７８６号公報
【発明の開示】
【発明が解決しようとする課題】
【０００５】
しかし、このような方法では、紙管に巻き回した状態の燻蒸シートが１５ｋｇ程度と重いことから、運搬時及び燻蒸処理時における燻蒸シートの取り扱い性が悪かった。また、それらを積み上げることが困難であるため、保管が困難である上、保管スペースも大きくなっていた。
また、燻蒸シートの運搬方法としては、燻蒸シートを小さく折り畳んだものを紙袋等に収納して持ち運ぶことが考えられる。しかし、紙袋等に収納しただけでは運搬し難く、また燻蒸処理後に燻蒸シートの未使用の部分を折り畳んで再度梱包する作業は煩雑である。例えば、通常開梱する際には袋の口止めテープは雑に扱われるため、その口止めテープを再利用することは不可能である。
以上のような理由から、燻蒸シートを容易に運搬し、燻蒸処理時において煩雑な作業を必要とせずに松くい虫の燻蒸駆除が行なえる施工方法が望まれている。
【０００６】
そこで本発明は、燻蒸シートを容易に運搬することができ、該燻蒸シートの取り扱い性に優れた燻蒸シート用運搬用具を用いて、簡便な作業で松くい虫の燻蒸駆除を行うことができる施工方法を目的とする。
【課題を解決するための手段】
【０００７】
本発明の松くい虫燻蒸駆除の施工方法は、帯状の松くい虫燻蒸シートを収納する収納本体と、該収納本体に設けられた肩掛けベルトとを具備し、
前記収納本体は、背面部、及び、該背面部の幅方向の両端からそれぞれ内側に向かって、開口を形成するように背面部に設けられた、収納本体の幅方向への松くい虫燻蒸シートのずれを規制する幅規制部を有しており、前記幅規制部の長さ方向の端部は前記背面部と連結されており、
前記幅規制部を内包するように前記収納本体を長さ方向に半折りにした当該収納本体の前記背面部の一方の外側面を背負い面とし、
該背負い面に、半折りした折り返し部が上側になるように前記肩掛けベルトが設けられている燻蒸シート用運搬用具を用いて松くい虫を燻蒸駆除する方法であって、
松くい虫燻蒸シートを折り畳んで前記燻蒸シート用運搬用具に収納して運搬する工程（１）と、
前記松くい虫燻蒸シートを収納本体から引き出し、伐倒材を覆うのに必要な大きさに切断して該伐倒材を覆う工程（２）と、
前記収納本体から引き出した前記松くい虫燻蒸シートの未使用部分を前記シート用運搬用具に再収納する工程（３）と、
前記松くい虫燻蒸シートで覆われた前記伐倒材を薬剤により燻蒸処理する工程（４）とを含む方法である。
【０００８】
また、松くい虫燻蒸駆除の施工方法は、前記燻蒸シート用運搬用具の前記背負い面に、該背負い面の形状を維持する背板が設けられていることが好ましい。
また、前記燻蒸シート用運搬用具の前記収納本体に、半折りにした該収納本体の間に挟まれ、収納された前記シートの位置を規制する挟板が設けられていることが好ましい。
また、前記工程（１）においては、前記松くい虫燻蒸シートを、その長手方向に沿ってガゼット折りした後、さらに長手方向に蛇腹状に折り畳み、その折り畳んだ松くい虫燻蒸シートを、前記長手方向が前記収納本体の幅方向に沿うように前記燻蒸シート用運搬用具に収納することが好ましい。
【発明の効果】
【０００９】
本発明の松くい虫燻蒸駆除の施工方法によれば、燻蒸シートを容易に運搬でき、かつ該燻蒸シートの取り扱い性に優れた燻蒸シート用運搬用具を用いることで、簡便な作業で松くい虫の燻蒸駆除を行なうことができる。
【発明を実施するための最良の形態】
【００１０】
＜燻蒸シート用運搬用具＞
以下、本発明の施工方法に用いる燻蒸シート用運搬用具の実施形態の一例について説明する。
燻蒸シート用運搬用具１（以下、「運搬用具１」という。）は、図１及び２に示すように、松くい虫燻蒸シート１００（以下、「燻蒸シート１００」という。）を収納する収納本体１０と、収納本体１０に設けられた一対の肩掛けベルト１２とを具備している。
収納本体１０や肩掛けベルト１２の材質は、リュックサック等に通常用いられるものを使用することができ、例えば、ナイロン等が挙げられる。
【００１１】
収納本体１０は、図２に示すように、背面部１４と、背面部１４の幅方向の両側からそれぞれ内側に向かって開口１８を形成するように設けられた幅規制部１６とを有している。
幅規制部１６は、背面部１４の幅方向の両端１４ａ、１４ａからそれぞれ内側に向かって設けられており、その長さ方向の端部１６ａ、１６ｂは背面部１４と連結されている。また、背面部１４の両端１４ａ、１４ａから延びるそれぞれの幅規制部１６により、燻蒸シート１００を出し入れする開口１８が形成されている。このように、背面部１４及び幅規制部１６により燻蒸シート１００を収納する収納空間が形成される。
【００１２】
また、運搬用具１は、燻蒸シート１００を収納した収納本体１０を半折りにした状態で運搬するものである。収納本体１０は、幅規制部１６を内包するように長さ方向に半折りされ、その半折りされた収納本体１０の背面部１４の一方の外側面が背負い面２０とされる（図１）。また、背負い面２０には、半折りにした収納本体１０の折り返し部２２が上側になるように一対の肩掛けベルト１２が設けられる。
【００１３】
背面部１４の形状は、正方形、矩形等が挙げられる。すなわち、背面部１４の長さａと幅ｂは同じ長さであってもよく、長さａが幅ｂより長くてもよく、幅ｂが長さａより長くてもよい。特に、大きなサイズの燻蒸シート１００を折り畳んで収納して運搬する場合、背面部１４の形状は、運搬の容易性及び燻蒸シート１００の出し入れ等の取り扱い性に優れる点から、長さａが幅ｂよりも長い矩形状であることが好ましい。
【００１４】
背面部１４の長さａは、運搬する燻蒸シート１００の大きさによっても異なるが、５０〜１５０ｃｍであることが好ましい。背面部１４の長さａが５０ｃｍ以上であれば、より大きなサイズの燻蒸シート１００を容易に運搬することができる。また、背面部１４の長さａが１５０ｃｍ以下であれば、燻蒸シート１００の運搬が容易になり、かつ燻蒸シート１００の取り扱い性も向上する。
【００１５】
背面部１４の幅ｂについても、長さａと同様に運搬する燻蒸シート１００の大きさによっても異なるが、４０〜８０ｃｍであることが好ましい。背面部１４の幅ｂが４０ｃｍ以上であれば、より大きなサイズの燻蒸シート１００を容易に運搬することができる。また、背面部１４の幅ｂが８０ｃｍ以下であれば、燻蒸シート１００の運搬が容易になり、かつ燻蒸シート１００の取り扱い性も向上する。
【００１６】
幅規制部１６は、収納した燻蒸シート１００の、収納本体１０の幅方向へのずれを規制する役割を果たす。燻蒸シート１００を収納した運搬用具１を背負って運搬する際には、運搬中に運搬用具１が上下左右に揺れるが、幅規制部１６により、収納本体１０に収納されている燻蒸シート１００が収納本体１０の幅方向にずれることを抑制することができる。
また、幅規制部１６の長さ方向の端部１６ａ、１６ｂが背面部１４と連結されているため、収納されている燻蒸シート１００が収納本体１０から出てしまうことが防止される。
【００１７】
幅規制部１６の幅ｃ１、ｃ２は、開口１８を形成し、かつ燻蒸シート１００を収納してその収納本体１０の幅方向へのずれを規制できる長さであればよい。また、各々の幅規制部１６の幅ｃ１、ｃ２は、開口１８の形成、及び燻蒸シート１００の収納本体１０の幅方向へのずれの抑制が可能な範囲であれば、それぞれ異なる長さであってもよい。ただし、収納された燻蒸シート１００が収納本体１０の幅方向にずれることを抑制しやすい点、燻蒸シート１００の出し入れが容易で取り扱い性が向上する点から、幅ｃ１及び幅ｃ２を同じ長さとして、収納本体１０の幅方向の中央に開口１８が形成されるようにすることが好ましい。
【００１８】
幅規制部１６の幅ｃ１（ｃ２についても同じ。）は、背面部１４の幅ｂとの比（ｃ１／ｂ）が０．１〜０．４５となるようにすることが好ましい。前記比（ｃ１／ｂ）が０．１以上であれば、燻蒸シート１００をしっかりと収納してその収納本体１０の幅方向へのずれを抑制することが容易になる。また、前記比（ｃ１／ｂ）が０．４５以下であれば、開口１８の幅ｄ（背面部１４の幅ｂから幅規制部１６の幅ｃ１及びｃ２の合計を差し引いた長さ）を充分に大きくすることができ、燻蒸シート１００の出し入れ等の取り扱い性がより向上する。
【００１９】
また、各々の幅規制部１６の長さ方向の端部１６ｂは、それらが互いに連結されていることが好ましい。これにより、収納本体１０への燻蒸シート１００の収納が安定になり、また運搬時や燻蒸シート１００の出し入れ時に土等が収納本体１０内に入って燻蒸シート１００が汚れることを抑制しやすい。また、各々の幅規制部１６の端部１６ａについても、端部１６ｂと同様に連結されていることが好ましい。
【００２０】
また、前述の収納の安定性の向上、土等による燻蒸シート１００の汚れの防止の観点から、開口１８の長さ方向の端部１６ｂ側には、開口縁部１８ａが設けられていてもよい。開口縁部１８ａは、前述の効果が得られ、かつ開口１８からの燻蒸シート１００の出し入れ等の取り扱い性を悪化させすぎないように設けることが好ましい。
また、開口１８の長さ方向の端部１６ａ側についても、同様の開口端部が設けられていてもよい。ただし、挟板２４を設けている場合には、該挟板２４により、土等で燻蒸シート１００が汚れることを防止する効果を得ることができる。
【００２１】
運搬用具１における背負い面２０は、幅規制部１６を内包するように長さ方向に半折りされた収納本体１０における背面部１４の一方の外側面である。すなわち、背負い面２０は、背面部１４の外側面であって、それを長さ方向に二等分した領域のうちの一方の面である。燻蒸シート用運搬用具は、背面部１４の外側面の二等分された領域のうち、どちらが背負い面となっても構わない。
【００２２】
背負い面２０には、その背負い面２０の形状を維持する背板２０ａ（図１）が設けられていることが好ましい。これにより、運搬時の収納本体１０の形状、すなわち収納されている燻蒸シート１００の形状が一定に保たれやすく、大きなサイズの燻蒸シート１００であっても収納されている該燻蒸シート１００の形状を崩さずに運搬することが容易になる。収納されている燻蒸シート１００が運搬により型崩れしなければ、その後燻蒸シート１００を運搬用具１から取り出す際に作業がスムーズに行なえる。
【００２３】
背負い面２０に設ける背板２０ａは、背負い面２０に内装されていてもよく、背負い面２０上に直接設けられていてもよいが、背負い面２０に内装されていることが好ましい。
また、背板２０ａの形状は、背負い面２０の形状を維持できるものであれば特に限定されず、背負い面２０と同形状の１枚の板片であってもよく、複数の骨格を組み合わせてなるものであってもよい。
【００２４】
収納本体１０の背負い面２０には、半折りした収納本体１０の折り返し部２２が背負ったときに上側になるように、シート用運搬用具１を背負うための肩掛けベルト１２が設けられている。
肩掛けベルト１２の形態は、収納本体１０を背負えるものであれば特に限定されず、リュックサック等に通常用いられる肩掛けベルトを用いることができる。
また、この例の運搬用具１は、両肩用に一対の肩掛けベルト１２が設けられているがこれには限定されず、肩掛けベルト１２が片肩用に一つのみ設けられたものであってもよい。
【００２５】
また、本発明の燻蒸シート用運搬用具は、半折りにした収納本体１０の間に挟むことによって、収納本体１０に収納された燻蒸シート１００の位置を規制する挟板２４が設けられていることが好ましい。
この例では、挟板２４は、収納本体１０の背負い面２０側の長さ方向の端部に形成されており、半折りにした収納本体１０に挟んだときにその一端２４ａが収納本体１０の折り返し部２２に接触する（図１）。
【００２６】
挟板２４を設けていない場合、運搬の際に、収納されている燻蒸シート１００の折り返し部２２近傍にある部分が重力や運搬による振動等により収納本体１０内で若干下がり、このとき該燻蒸シート１００が半折りされている収納本体１０内でどちらか一方に偏ると、運搬による振動によりその偏りがより激しくなっていくことで、収納本体１０内での燻蒸シート１００の形状が崩れてしまうおそれがある。しかし、挟板２４を用いることにより、収納本体１０に収納された燻蒸シート１００が折り返し部２２の部分で挟板２４の一端２４ａに掛けられた状態になって支えられる。そのため、大きな振動が加えられた場合であっても、燻蒸シート１００の折り返し部２２近傍の部分が下がって、半折りされた収納本体１０内で偏りを生じることを抑制することができる。
【００２７】
また、背負い面２０に前記背板２０ａが設けられている場合には、その背板２０ａと挟板２４により、収納本体１０の背負い面２０側にある燻蒸シート１００を挟み込むことができるため、収納本体１０内で燻蒸シート１００をより安定に固定することができる。そのため、運搬による燻蒸シート１００の型崩れを抑制する効果がさらに高くなる。
【００２８】
また、収納本体１０には、図１及び２に示すように、背面部１４の折り返し部２２の外側面から延びるカバー２６が設けられていることが好ましい。カバー２６は、運搬時に背面部１４の背負い面２０と逆側の面２８上に垂らすことにより、接触等による収納本体１０の損傷を抑制することができる。
また、燻蒸シート１００を運搬用具１に出し入れする際には、カバー２６を背負い面２０の下に敷いた状態で収納本体１０を開くことにより、背負い面２０及び肩掛けベルト１２が土等で汚れることを防ぐことができる（図４）。
【００２９】
運搬用具１の色は、特に限定されないが、虫が寄ってきたり、日光により運搬用具１が高温になったりすることを避ける点から黒を避けることが好ましく、コストの点から、赤が特に好ましい。
【００３０】
また、収納本体１０には、半折りした収納本体１０を固定するベルト固定具３０が設けられていることが好ましい（図１及び図５）。これにより、半折りした収納本体１０をより安定に固定することができ、運搬中の燻蒸シート１００の型崩れを抑制しやすくなる。
ベルト固定具３０は、特に限定されないが、土等の付着による固定性能の低下を防ぐ点から、ファスナーやマジックテープ（登録商標）よりも、図５に示すような、雄部３０ａと雌部３０ｂとを装着することにより固定する簡便な固定具であることが好ましい。
ベルト固定具３０の数は特に限定されないが、装着の際の混乱及び煩雑な作業を避ける点から、収納本体１０を半折りにした状態で安定に固定できる範囲内でできるだけ少なくすることが好ましい。
【００３１】
尚、本発明におけるシート用運搬用具は、図１〜５に例示した運搬用具１には限定されない。例えば、挟板２４は収納本体１０の面２８側の長さ方向の端部に設けられていてもよい。
また、挟板２４が収納本体１０の幅方向の端部に設けられているシート用運搬用具２（図６）であってもよい。シート用運搬用具２における挟板２４は、一端２４ｂが収納本体１０の折り返し部２２に接触するように設けられており、運搬時に燻蒸シート１００を収納した収納本体１０が挟板２４に掛けられた状態にとなる。ただし、運搬時や燻蒸シートの出し入れの際にシート用運搬用具を置いたときに、開口１８の長さ方向の端の部分から収納本体内に土等が入って燻蒸シートが汚れることを防ぎ易い点から、挟板２４は収納本体１０の長さ方向の端部に設けられていることが好ましい。
【００３２】
＜松くい虫燻蒸駆除の施工方法＞
本発明の施工方法は、前述した燻蒸シート用運搬用具を用いて松くい虫の燻蒸駆除を行なう方法である。本発明の施工方法は、前述の燻蒸シート用運搬用具を用いる方法であって、下記工程（１）〜（４）を含む方法である。
工程（１）：松くい虫燻蒸シートを折り畳んで燻蒸シート用運搬用具に収納して運搬する工程。
工程（２）：前記松くい虫燻蒸シートを収納本体から引き出し、伐倒材を覆うのに必要な大きさに切断して該伐倒材を覆う工程。
工程（３）：収納本体から引き出した前記松くい虫燻蒸シートの未使用部分を前記燻蒸シート用運搬用具に再収納する工程。
工程（４）：前記松くい虫燻蒸シートで覆われた前記伐倒材を薬剤により燻蒸処理する工程。
【００３３】
以下、本発明の施工方法の一実施形態例として、前述の運搬用具１を用いた施工方法について説明する。
松くい虫の燻蒸駆除に用いられる燻蒸シート１００は、通常、長尺で帯状のシートであり、例えば、幅４ｍ×長さ３０ｍ程度のものが挙げられる。これを伐倒現場まで運搬し、該伐倒現場で随時必要な分だけ切断して使用する。
燻蒸シート１００は、松くい虫の燻蒸駆除に通常用いられるシートを用いることができ、燻蒸処理後に燻蒸シートを回収する必要がなく環境面に優れる点から、生分解性の燻蒸シートであることが好ましい。生分解性の燻蒸シートとしては、例えば、特開２００３−２３１８２０号公報、特開２００３−２８４４７８号公報、特開２００３−２９２６４１号公報、特開２００３−３２０６２０号公報、特開２００４−１０６９３号公報、特開２００５−７３５８１号公報、特開２００５−１０３８７２号公報、特開２００５−１５４４５６号公報、特開２００５−２８７４５８号公報、特開２００６−２１３８３０号公報、特開２００６−２４６７８６号公報等に記載の燻蒸シートが挙げられる。
【００３４】
工程（１）は、松くい虫燻蒸シート（燻蒸シート１００）を運搬用具１に収納して運搬する工程である。
燻蒸シート１００は、図２に示すように、まず、その長手方向に沿ってガゼット折りにし、さらにそれを長手方向に蛇腹状に折り畳む（以下、折り畳まれた燻蒸シート１００を特に「折畳シート１００」ということがある。）ことが好ましい。ここで、前記ガゼット折りでは、燻蒸シート１００の短手方向の両方の端縁１０１が、燻蒸シート１００を短手方向に二等分する中央部分１０２に向かってそれぞれ折り返されて揃えられ、かつ前記両方の端縁１０１と前記中央部分１０２の中間に位置する中間部分１０３（折り返されて形成された山折部分）が内部側に折り返されて前記中央部分１０２で揃えられる。
【００３５】
このように折り畳まれた折畳シート１００は、その長手方向が収納本体１０の幅方向に沿うように収納される（図３）。次いで、収納本体１０を、幅規制部１６を内包するように、かつ挟板２４を挟みこんで半折りにし（図５）、ベルト固定具３０で固定する。このように、収納本体１０が長さ方向に半折りされると、収納本体１０内で折畳シート１００が中央部分１０２に沿って半折りされる。
その後、カバー２６を面２８側へと垂らし（図１）、肩掛けベルト１２により背負うことにより燻蒸シート１００を運搬する。
【００３６】
運搬時の折畳シート１００は、幅規制部１６により収納本体１０の幅方向へのずれが規制されている。
また、収納本体１０を半折りして折畳シート１００が半折りにされていることで、半折りしていない場合に比べて収納本体１０の長さ方向へのずれが抑制されている。つまり、燻蒸シートを半折りせずに背負う運搬用具の場合、運搬用具を背負ったときの力は、収納されているシートの底の部分で運搬用具から燻蒸シートに伝わる。そのため、燻蒸シートの重心部分には直接力が加わっておらず、重力及び運搬における振動等により該燻蒸シートが底の方にずれて偏ってしまい、燻蒸シートが型崩れしてしまう。
【００３７】
これに対し、折畳シート１００を半折りにした状態で背負う本発明の燻蒸シート用運搬具では、幅規制部１６により、折畳シート１００を背負う力が折畳シート１００の折り返し部分（収納本体１０の折り返し部２２に位置する部分）にも加わる。折畳シート１００の重心は半折りした折り返し部分にあり、本発明の燻蒸シート用運搬用具ではその折畳シート１００の重心部分に力を加えることができることから、型崩れを抑制して運搬することができる。
【００３８】
さらに、挟板２４を用い、収納本体１０の折り返し部２２に一端２４ａを接触させ、折畳シート１００が挟板２４に掛けられた状態とすることで、該挟板２４により折畳シート１００の重心により的確に上向きの力を加えることができる。これにより、シート１００が収納本体１０内でバランスが取れた状態でより安定に固定されるため、型崩れさせずに運搬することがより容易になる。
また、ガゼット折りにした折畳シート１００は、端縁１０１及び中間部分１０３が揃えられた中央部分１０２が他の部分よりも薄くなっているために、中央部分１０２に沿って半折りにしやすい。また、その中央部分１０２に沿って挟板２４の一端２４ａを接触させることができるため、運搬時の収納本体１０内のシート１００がより安定に固定される。
【００３９】
工程（２）は、燻蒸シート１００を松の伐倒現場まで運搬した後に、燻蒸シート１００を収納本体１０から引き出し、伐倒材を覆うのに必要な大きさに切断して該伐倒材を覆う工程である。
運搬後、カバー２６を背負い面２０の下に敷いた状態にして伐倒現場（山の斜面）に運搬用具１を置き、収納本体１０を開く（図７）。運搬用具１は、収納本体１０の長さ方向が伐倒材Ｗの軸方向と並行するように設置する。このとき、伐倒材Ｗの設置方向によっては、収納本体１０の幅方向が斜面方向を向くように設置されることがある。しかし、本発明の施工方法では幅規制部１６を有する運搬用具１を用いているため、収納本体１０内に収納された折畳シート１００が斜面を滑り落ちて崩れることを防止できる。
【００４０】
次いで、燻蒸シート１００を収納本体１０から幅方向に引き出し、伐倒材Ｗの軸方向の中央付近に被せる（図８）。収納本体１０には、蛇腹状に折り畳まれた折畳シート１００が、その長手方向が収納本体１０の幅方向に沿うように収納されているため、幅方向に容易に引き出すことができる。
【００４１】
次いで、収納本体１０から引き出した燻蒸シート１００を鉈やカッター等で切断することにより、伐倒材Ｗを覆うのに必要な部分に切り取る（図９）。そして、切り取った部分が伐倒材Ｗに被せられた状態で、折り畳まれている燻蒸シート１００を短手方向に広げることにより、燻蒸シート１００により伐倒材Ｗを覆う（図１０）。
【００４２】
また、工程（２）では、収納本体１０から引き出した燻蒸シート１００を必要な部分に切り取った後に伐倒材Ｗに被せて、短手方向に広げることにより伐倒材Ｗを覆ってもよい。ただし、計測等を行なわずに燻蒸処理に必要な分だけ燻蒸シート１００を切り取ることが容易である点から、前述のように伐倒材Ｗに被せた後に燻蒸シート１００を切断する方が好ましい。
【００４３】
工程（３）は、収納本体１０から引き出した燻蒸シート１００のうち、未使用の部分を運搬用具１内に再収納する工程である。
本発明の施工方法では、収納本体１０から燻蒸シート１００を過剰に引き出す必要がなく、また未使用部分については蛇腹折りが崩れているだけである（ガゼット折りは維持されている）ため、引き出した未使用部分を蛇腹状に再度折り畳んで収納するだけでよく、再収納作業を容易に行うことができる。
【００４４】
工程（３）は、燻蒸シート１００で覆われた伐倒材Ｗを薬剤で燻蒸処理する工程である。
燻蒸処理に用いる薬剤としては、松くい虫の燻蒸処理に通常用いられる薬剤を用いることができ、例えば、ＮＣＳ（商品名、ヤシマ産業（株）製）等が挙げられる。
薬剤を伐倒材Ｗに付与する方法は、燻蒸駆除が充分に行なえるものであれば特に限定されないが、薬剤が拡散することを防ぎやすい点から、伐倒材Ｗを覆った燻蒸シート１００をめくり上げて伐倒材Ｗの上部に撒いた後、直ぐに燻蒸シート１００で該伐倒材Ｗを密封する方法が好ましい。
【００４５】
伐倒材Ｗの密封方法は特に限定されず、伐倒材Ｗを覆った燻蒸シート１００の裾の部分に土等を被せることにより行うことができる。
その後、２週間程度放置することにより燻蒸駆除を行なうことができる。また、燻蒸シート１００として生分解性の燻蒸シートを用いている場合には、燻蒸シートの回収等の後処理は必要ない。
【００４６】
また、工程（３）については、工程（２）で燻蒸シート１００の必要な部分を切り取った後に行えばよく、工程（４）を行なう前に行なってもよく、工程（４）で薬剤を付与して伐倒材Ｗを密封した後に行ってもよい。
【００４７】
尚、本発明において収納する燻蒸シートを折り畳む方法は、図２で例示したものには限定されない。例えば、収納する折畳シートは、図１１（ａ）に示すように、燻蒸シートの短手方向の両方の端縁２０１を、該燻蒸シートを短手方向に二等分する中央部分２０２に向かってそれぞれ折り返して揃え、かつ前記両方の端縁２０１と前記中央部分２０２との間を三等分する中間部分２０３ａ、２０３ｂをそれぞれ内部側に折り返して前記中央部分２０２で揃えるように折ったものを、その長手方向に沿って蛇腹状に折り畳んだ折畳シート２００であってもよい。
また、図１１（ｂ）に示すように、燻蒸シートの短手方向の両方の端縁３０１を、該燻蒸シートを短手方向に三等分するようにそれぞれ中央方向に折り返し、それを長手方向に蛇腹状に折り畳んだ折畳シート３００であってもよい。
また、図１１（ｃ）に示すように、燻蒸シートの短手方向の両方の端縁４０１を、該燻蒸シートを短手方向に二等分する中央部分４０２に向かって折り返して揃え、それを長手方向に蛇腹状に折り畳んだ折畳シート４００であってもよい。
【００４８】
本発明の施工方法では、収納本体１０に収納した後に該収納本体１０を半折りにすることから、収納本体１０内で容易に半折りされ、運搬時に収納本体１０内でより安定に保持されやすい点から、折畳シート１００、折畳シート２００、折畳シート４００のような中央部分に沿って半折りすることが容易なものがより好ましい。
また、同じ大きさの燻蒸シートを折り畳む場合には、折畳シート４００のように折り畳むよりも折畳シート１００のように折り畳む方が折り畳んだシートの面積（収納本体の面積）をより小さくすることができ、折畳シート２００のように折り畳むよりも折畳シート１００のように折り畳む方が折り畳んだシートの厚みをより小さくできる。松くい虫の燻蒸駆除に用いられる燻蒸シートが通常幅４ｍ×３０ｍ程度の大きさであることを考慮すると、運搬がより容易に行なえ、かつ燻蒸シートの取り扱い性により優れることから、折畳シート１００が特に好ましい。
【００４９】
従来の松くい虫の燻蒸駆除では、燻蒸シートを紙管に巻き回した状態で運搬していたことから、運搬時の燻蒸シートが２ｍ程度と長くなるために運搬が困難であり、周辺の木等と接触して燻蒸シートに損傷が生じることがあった。また運搬時に紙管に巻き回した燻蒸シートが軸方向に滑って型崩れすることもあった。更に、運搬後に燻蒸処理を行う際には、紙管に巻き回した状態の燻蒸シートが斜面を転がり落ちないよう考慮する必要もあり、取り扱い性が悪かった。
【００５０】
一方、本発明の施工方法では、燻蒸シートを折り畳んで収納し、半折りにして運搬する運搬用具を用いるため、運搬を容易に行うことができる。また、本発明における運搬用具には幅規制部が設けられているため、運搬用具を斜面上に置いて作業を行なっても、収納されている燻蒸シートが斜面を滑り落ち、型崩れすること防ぐことができる。
また、燻蒸シートを、その両端を長手方向に沿って折り返した後にさらに蛇腹状に折り畳んで収納本体に収納することにより、燻蒸処理に必要な分だけ燻蒸シートを引き出して使用することができ、また未使用部分については蛇腹状に折り畳み直すのみで再収納を行うことができるため、簡便な作業で燻蒸駆除を行なうことができる。
以上のように、本発明の施工方法によれば、燻蒸シートの運搬、及びその取り扱い性に優れていることから、松くい虫の燻蒸駆除の作業性を飛躍的に向上させることができる。
【産業上の利用可能性】
【００５１】
本発明の施工方法は、燻蒸シートを容易に運搬でき、かつ該燻蒸シートの取り扱い性に優れた燻蒸シート用運搬用具を用いることで、簡便な作業で松くい虫の燻蒸駆除を行なうことができるために非常に有用である。
【図面の簡単な説明】
【００５２】
【図１】本発明の燻蒸シート用運搬用具の実施形態の一例を示した斜視図である。
【図２】図１の燻蒸シート用運搬用具の開かれている様子を示した斜視図である。
【図３】図２の燻蒸シート用運搬用具にシートが収納された様子を示した斜視図である。
【図４】本発明の燻蒸シート用運搬用具からシートを取り出す様子を示した斜視図である。
【図５】本発明の燻蒸シート用運搬用具の収納本体を半折りにしている様子を示した斜視図である。
【図６】本発明の燻蒸シート用運搬用具の他の実施形態例を示した斜視図である。
【図７】本発明の松くい虫燻蒸駆除の施工方法を示した模式図である。
【図８】本発明の松くい虫燻蒸駆除の施工方法を示した模式図である。
【図９】本発明の松くい虫燻蒸駆除の施工方法を示した模式図である。
【図１０】本発明の松くい虫燻蒸駆除の施工方法を示した模式図である。
【図１１】本発明における松くい虫燻蒸シートを折り畳んだ様子を示した斜視図である。
【符号の説明】
【００５３】
１  燻蒸シート用運搬用具  ２  燻蒸シート用運搬用具  １０  収納本体  １２  肩掛けベルト  １４  背面部  １４ａ  背面部の幅方向の両端  １６  幅規制部  １６ａ、１６ｂ  幅規制部の長さ方向の端部  ２０  背負い面  ２２  折り返し部  ２４  挟板  １００  松くい虫燻蒸シート
【図１】
2010022299.tif 000003
【図２】
2010022299.tif 000004
【図３】
2010022299.tif 000005
【図４】
2010022299.tif 000006
【図５】
2010022299.tif 000007
【図６】
2010022299.tif 000008
【図７】
2010022299.tif 000009
【図８】
2010022299.tif 000010
【図９】
2010022299.tif 000011
【図１０】
2010022299.tif 000012
【図１１】
2010022299.tif 000013